(57)【要約】【課題】住宅に使用される洗濯物を室内で乾燥させる装置において、入浴時間等の生活行為に関係なく洗濯物の乾燥ができ、天候の良い日には洗濯物の乾燥時に日射による殺菌効果を期待できる乾燥方法と洗濯物の乾燥システムを提供することを目的とする。【解決手段】日射が入る開口部３を有する室内空間にあって、開口部３は室内空間１の空気を排気する排気手段として開閉が可能であり、室内空間１の空気を循環させる送風ユニット５と、送風ユニット５は循環気流の出口である吹出口８を有し、吹出口８から吹出される気流が洗濯物１２にあたるように洗濯物１２を配置するという構成にしたことにより、入浴時間等の生活行為に関係なく洗濯物の乾燥ができ、天候の良い日には洗濯物の乾燥時に日射による殺菌効果を期待できる洗濯物の乾燥システムが得られる。【選択図】図２
2011101787.tif 000002
【特許請求の範囲】
【請求項１】
日射が入る開口部を有する室内空間に、この室内空間の空気を循環させる送風手段と、前記室内空間の空気を排気する排気手段を備え、前記室内空間内に干した洗濯物を少なくとも送風手段からの循環気流と、排気手段による前記室内空間の空気の排気により乾燥させることを特徴とする洗濯物の乾燥方法。
【請求項２】
日射が入る開口部と、洗濯物吊り下げ手段と、室内空間の空気を循環させる送風手段と、前記室内空間の空気を排気する排気手段とを前記室内空間に備え、前記洗濯物吊り下げ手段には洗濯物が吊り下げられ、前記送風手段は循環気流の出口である吹出口を有し、前記吹出口から吹出される気流が前記洗濯物にあたるように前記洗濯物吊り下げ手段を配置したことを特徴とする洗濯物の乾燥システム。
【請求項３】
前記日射が入る開口部の近傍空間に、前記洗濯物吊り下げ手段を配置したことを特徴とする請求項１記載の洗濯物の乾燥システム。
【請求項４】
前記洗濯物吊り下げ手段の軸方向が、前記日射が入る開口部と略平行となるように配置したことを特徴とする請求項２記載の洗濯物の乾燥システム。
【請求項５】
前記洗濯物の上方空間に、前記吹出口を配置したことを特徴とする請求項２記載の洗濯物の乾燥システム。
【請求項６】
前記吹出口はスリット状であって、前記吹出口の長手方向が、前記日射が入る開口部と略平行となるように配置したことを特徴とする請求項２記載の洗濯物の乾燥システム。
【請求項７】
前記吹出口に気流方向を変化させる風向偏向手段を備えたことを特徴とする請求項５記載の洗濯物の乾燥システム。
【請求項８】
前記送風手段に日射を検知する光センサーを備えたことを特徴とする請求項１記載の洗濯物の乾燥システム。
【請求項９】
前記送風手段に風を検知する風速センサーを備えたことを特徴とする請求項１記載の洗濯物の乾燥システム。
【請求項１０】
前記排気手段が湿度センサーを備えた換気扇であることを特徴とする請求項１記載の洗濯物の乾燥システム。
【請求項１１】
前記換気扇が給排気の熱交換型であることを特徴とする請求項９記載の洗濯物の乾燥システム。
【請求項１２】
前記室内空間の隣に居室を配置し、前記居室には前記居室の空気を屋外に排出する換気扇を有し、前記室内空間と前記居室との間には開閉可能なドアを備え、前記排気手段として前記ドアにドア通風路を有したことを特徴とする請求項１記載の洗濯物の乾燥システム。
【請求項１３】
前記送風手段の動作に連動し、前記換気扇が動作を開始することを特徴とする請求項１２記載の洗濯物の乾燥システム。
【請求項１４】
前記日射が入る開口部の近傍空間に、前記洗濯物吊り下げ手段の軸方向が、前記日射が入る開口部と略平行となるように上下２段に配置したことを特徴とする請求項２記載の洗濯物の乾燥システム。
【請求項１５】
前記上下２段の洗濯物吊り上げ手段の前記日射が入る開口部の反対側の壁に、前記洗濯物吊り下げ手段の軸方向と略平行になるように送風手段を備えたことを特徴とする請求項１４記載の洗濯物の乾燥システム。
【請求項１６】
前記日射が入る開口部から室内空間に入る日射を反射する反射板を備えたこと特徴とする請求項２記載の洗濯物の乾燥システム。
【請求項１７】
前記反射板を床面に設置したことを特徴とする請求項１６記載の洗濯物の乾燥システム。
【請求項１８】
前記日射が入る開口部の近傍の室内側に複数のブラインド状反射板を備えたこと特徴とする請求項１６記載の洗濯物の乾燥システム。
【請求項１９】
前記ブラインド状反射板が横型であることを特徴とする請求項１８記載の洗濯物の乾燥システム。
【請求項２０】
前記ブラインド状反射板が縦型であることを特徴とする請求項１８記載の洗濯物の乾燥システム。
【請求項２１】
前記洗濯物吊り下げ手段が、高さを変えられる可変式洗濯物吊り下げ手段であることを特徴とする請求項２記載の洗濯物の乾燥システム。
【請求項２２】
前記可変式洗濯物吊り下げ手段に日射センサーを備えたことを特徴とする請求項２１記載の洗濯物の乾燥システム。
【請求項２３】
前記室内空間に隣接する部屋との間に開閉可能なドアを備え、前記ドアに通風路を有したことを特徴とする請求項２記載の洗濯物の乾燥システム。
【請求項２４】
前記室内空間に隣接する部屋との間に、前記送風手段と連通する送風口を設けた送風扉を備えたことを特徴とする請求項２記載の洗濯物の乾燥システム。
【請求項２５】
天井面に着脱可能な前記洗濯物吊り下げ手段を、前記日射が入る開口部の近傍に複数配置したことを特徴とする請求項２記載の洗濯物の乾燥システム。
【請求項２６】
前記送風手段に複数の送風ファンを備えたことを特徴とする請求項２記載の洗濯物の乾燥システム。
【請求項２７】
前記送風手段と前記排気手段が一体であり、共通の吸気口と循環気流と排気を切り替えるダンパーを備えたことを特徴とする請求項２記載の洗濯物の乾燥システム。
【請求項２８】
前記吸気口に湿度検知手段を備えたことを特徴とする請求項２記載の洗濯物の乾燥システム。
【発明の詳細な説明】
【技術分野】
【０００１】
本発明は、洗濯物を室内で乾燥させる方法及び乾燥システムに関するものである。
【背景技術】
【０００２】
洗濯物を乾燥させるためには、洗濯物を屋外で日射に当てて乾燥させることが、経済的で日射による殺菌効果も期待される一般的な乾燥方法である。
【０００３】
しかし近年、天候や屋外空気汚染や有職主婦の増加や防犯上の問題または生活スタイルの変化などに伴い、洗濯物を室内で乾燥させたいといった要望が多くなってきている。
【０００４】
従来、この種の洗濯物を室内で乾燥させる装置は、浴室内で洗濯物を乾燥させるために浴室内の天井に備えられたものが知られている（例えば、特許文献１参照）。
【０００５】
図７に示すように、浴室１０１に備えられた浴室換気乾燥機１０２は換気ファン１０３と循環ファン１０４と加熱手段としての熱交換器１０５と湿度検知手段が備えられ、循環ファン１０４で熱交換器１０５を通過した浴室空気を加熱し、浴室内の水蒸気を換気ファン１０３で排気することで、浴室に吊るされた洗濯物を乾燥させるものである。
【先行技術文献】
【特許文献】
【０００６】
【特許文献１】特開２００２−２２１３８８号公報
【発明の概要】
【発明が解決しようとする課題】
【０００７】
このような従来の洗濯物を室内で乾燥させる装置においては、浴室空間を加熱とともに換気を行なうことにより浴室内部に吊り干された洗濯物を乾燥させる構成となっていたので、洗濯物を入浴しないときに洗濯物を乾燥するのが一般的であった。
【０００８】
従って、夜の入浴や朝のシャワーなど、浴室を使用するときには、洗濯物の乾燥ができず、洗濯物を乾燥する時間が限られてしまう。また、乾燥した洗濯物を浴室に置いておけないために、入浴やシャワーのたびに洗濯を移動しなければならない作業負担が大きい。また、浴室の設置場所は、一般的に日射が入らない場所に位置するために、洗濯物の乾燥時に日射による殺菌効果を期待できない課題を有していた。
【０００９】
そこで本発明は、上記従来の課題を解決するものであり、入浴時間等の生活行為に関係なく室内で洗濯物の乾燥ができ、天候の良い日には洗濯物の乾燥時に日射による殺菌効果を期待できる乾燥方法と洗濯物の乾燥システムを提供することを目的とする。
【課題を解決するための手段】
【００１０】
そして、この目的を達成するために、本発明は、日射が入る開口部を有する室内空間に、室内空間の空気を循環させる送風手段と、室内空間の空気を排気する排気手段を備え、室内に干した洗濯物を少なくとも送風手段からの循環気流と排気手段による室内空間の空気の排気により乾燥させるものであり、これにより所期の目的を達成するものである。
【００１１】
また本発明は、日射が入る開口部と、洗濯物吊り下げ手段と、室内空間の空気を循環させる送風手段と、室内空間の空気を排気する排気手段とを室内空間に備え、洗濯物吊り下げ手段には洗濯物が吊り下げられ、送風手段は循環気流の出口である吹出口を有し、吹出口から吹出される気流が洗濯物にあたるように洗濯物吊り下げ手段を配置した。
【発明の効果】
【００１２】
本発明によれば、日射が入る開口部と、室内空間の空気を循環させる送風手段と、室内空間の空気を排気する排気手段とを室内空間に備え、送風手段は循環気流の出口である吹出口を有し、吹出口から吹出される気流が洗濯物にあたるように前記洗濯物を配置したことにより、天気の悪い日でも送風により洗濯物の湿気を飛ばし、その湿気を排気することにより洗濯物の乾燥を行うことが出来る。また、天気の良い日には、洗濯物を日射に当たることによる殺菌効果を期待できる。
【図面の簡単な説明】
【００１３】
【図１】本発明の実施の形態１における洗濯物の室内乾燥システムの平面を示す構成図
【図２】図１のＸ―Ｘ´断面を示す構成図
【図３】図２のＹ−Ｙ´断面を示す構成図
【図４】本発明の実施の形態２における洗濯物の室内乾燥システムの断面を示す構成図
【図５】本発明の実施の形態３における洗濯物の室内乾燥システムの断面を示す構成図
【図６】本発明の実施の形態４における洗濯物の室内乾燥システムの断面を示す構成図
【図７】従来の洗濯物を室内で乾燥させる装置の断面を示す構成図
【図８】本発明の実施の形態５における洗濯物の室内乾燥システムの断面を示す構成図
【図９】本発明の実施の形態６における洗濯物の室内乾燥システムの断面を示す構成図
【図１０】本発明の実施の形態７における洗濯物の室内乾燥システムの平面を示す構成図
【図１１】本発明の実施の形態８における洗濯物の室内乾燥システムの断面を示す構成図
【図１２】本発明の実施の形態９における洗濯物の室内乾燥システムの断面を示す構成図
【図１３】本発明の実施の形態１０における洗濯物の室内乾燥システムの断面を示す構成図
【図１４】本発明の実施の形態１１における洗濯物の室内乾燥システムの断面を示す構成図
【図１５】本発明の実施の形態１２における洗濯物の室内乾燥システムの断面を示す構成図
【発明を実施するための形態】
【００１４】
本発明の請求項１記載の洗濯物の乾燥方法は、日射が入る開口部を有する室内空間に、室内空間の空気を循環させる送風手段と、室内空間の空気を排気する排気手段を備え室内に干した洗濯物を少なくとも送風手段からの循環気流と排気手段による室内空間の空気の排気により乾燥させるという構成を有する。これにより、天気の悪い日でも送風により洗濯物の湿気を飛ばし、その湿気を排気することにより洗濯物の乾燥を行うことが出来る効果を奏する。また、天気の良い日には、洗濯物を日射に当たることによる殺菌効果を期待できるという効果を奏する。
【００１５】
また、日射が入る開口部と、洗濯物吊り下げ手段と、室内空間の空気を循環させる送風手段と、室内空間の空気を排気する排気手段とを室内空間に備え、送風手段は循環気流の出口である吹出口を有し、吹出口から吹出される気流が洗濯物にあたるように洗濯物吊り下げ手段を配置するという構成にしてもよい。これにより、天気の悪い日でも送風により洗濯物の湿気を飛ばし、その湿気を排気することにより洗濯物の乾燥を行うことが出来る効果を奏する。また、天気の良い日には、洗濯物を日射に当たることによる殺菌効果を期待できるという効果を奏する。
【００１６】
また、日射が入る開口部の近傍空間に洗濯物を配置するという構成にしてもよい。これにより、天気が良い日に日射に当てながら、洗濯物が開口部に触れることがなくなるので、衛生的に洗濯物を干すことができるという効果を奏する。
【００１７】
また、洗濯物吊り下げ手段の軸方向が、日射が入る開口部と略平行となるように配置するという構成にしてもよい。これにより、洗濯物の多くの面を日射に当てることができる効果を奏する。
【００１８】
また、洗濯物の上方に、吹出口を配置するという構成にしてもよい。これにより、洗濯干しの作業時に床に落ちた水を、送風手段を運転することで床面に気流が当たるので、床も乾燥させることができるという効果を奏する。
【００１９】
また、吹出口はスリット状であって、吹出口の長手方向が、日射が入る開口部と略平行となるように配置するという構成にしてもよい。これにより、洗濯物吊り下げ手段に干された複数の洗濯物に対して満遍なく送風気流が当たることとなるので洗濯物に乾きムラがなくなるといった効果を奏する。
【００２０】
また、吹出口に気流方向を変化させる風向偏向手段を備えるという構成にしてもよい。これにより、洗濯物吊り下げ手段を平行に二本並べた場合でも均等に送風気流が当たることとなるので、洗濯物が多い場合であっても洗濯物の乾きムラを少なくできるといった効果を奏する。
【００２１】
また、送風手段に日射を検地する光センサーを備える構成にしてもよい。これにより、日射により洗濯物の乾燥が促進されるので、余分な送風手段を抑制することで省エネルギー化を図ることができる効果を奏する。
【００２２】
また、送風手段に風を検知する風速センサーを備えるという構成にしてもよい。これにより、開口部が開いていることによる風を検知して、余分な送風手段を抑制することで省エネルギー化を図ることができる効果を奏する。
【００２３】
また、排気手段に湿度センサーを備えた換気扇を備える構成にしてもよい。これにより、洗濯物から発生した湿気を確実に排気する効果を奏する。
【００２４】
また、給排気の熱交換型の換気扇を備える構成にしてもよい。これにより、排気に伴う給気において、熱交換により、冬の寒い外気が室内空間に入ることを防ぐ効果を奏する。
【００２５】
また、室内空間の隣に居室を配置し、居室には居室の空気を屋外に排出する換気扇を有し、室内空間と居室との間には開閉可能なドアを備え、排気手段としてドアにドア通風路を有するという構成にしてもよい。これにより、排気手段を室内空間に備える必要がなくなるので、イニシャルコストの削減ができるという効果を奏する。
【００２６】
また、送風手段の動作に連動し、換気扇が動作を開始するという構成にしてもよい。これにより、換気扇の発停操作を新たに実施する必要がないので、作業者の操作内容を軽減できるという効果を奏する。
【００２７】
また、日射が入る開口部の近傍空間に、洗濯物吊り下げ手段の軸方方向が、日射が入る開口部と略平行となるように上下２段に配置したという構成にしてもよい。これにより、１段と同じ平面空間で、２倍の洗濯物を乾燥することができるという効果を奏する。
【００２８】
また、上下２段の洗濯物吊り上げ手段の日射が入る開口部の反対側の壁に、洗濯物吊り下げ手段の軸方向と略平行になるように送風手段を備えるという構成にしてもよい。これにより、上下２段に洗濯物を配置した時に、日射が当たらない衣類面に上下２段の衣類に送風をあてて乾燥促進ができるという効果を奏する。
【００２９】
また、日射が入る開口部から室内空間に入る日射を反射する、反射板を備えるという構成にしてもよい。これにより、日射があたりにくい開口部においても日射を効率よく衣類に当てることができるという効果を奏する。
【００３０】
また、反射板を床面に設置するという構成にしてもよい。これにより、床面に当たった日射を反射して乾きにくい衣類の下面に日射を当てることができるという効果を奏する。
【００３１】
また、日射が入る開口部の近傍の室内側に複数のブラインド状反射板を備えるという構成にしてもよい。これにより、開口部から入った日射を効率よく洗濯物にあてることができるという効果を奏する。
【００３２】
また、ブラインド状反射板が横型であるという構成にしてもよい。これにより、上下２段に衣類を干した場合でも、日射が入る開口部の窓上壁によってできた影の部分に横型の反射板により上方へ反射して日射をあてることができるという効果を奏する。
【００３３】
また、ブラインド状反射板が縦型であるという構成にしてもよい。これにより、日射が入る開口部より幅広く衣類を干した場合でも、開口部横の袖壁によってできた影の部分にも縦型の反射板により側方へ反射して日射をあてることができるという効果を奏する。
【００３４】
また、洗濯物吊り下げ手段が、高さを変えられる可変式洗濯物吊り下げ手段であるという構成にしてもよい。これにより、季節による太陽の高さ変化に対応して洗濯物吊り下げ手段の高さを変えることにより、洗濯物に日射を当てることができるという効果を奏する。
【００３５】
また、可変式洗濯物吊り下げ手段に日射を検知する日射センサーを備えたるという構成にしてもよい。これにより、日射の入る開口部からの日射の高さを検知して可変敷き洗濯物吊り下げ手段の高さを自動的に変えて洗濯物に日射が当たるように調整することができるという効果を奏する。
【００３６】
また、室内空間に隣接する部屋との間に開閉可能なドアを備え、ドアに通風路を有するという構成にしてもよい。これにより、扉の下方の通風路からの風の流れで、乾きにくい衣類の側面と下部の乾き易くなり、人がいる居室空間と仕切られることにより見栄えが良いという効果を奏する。
【００３７】
また、室内空間に隣接する部屋との間に、送風手段と連通する送風口を設けた送風扉を備えることという構成にしてもよい。これにより、送風扉の送風口からの送風による風の流れで、乾きにくい衣類の側面と下部の乾き易くなり、人がいる居室空間と仕切られることにより見栄えが良い
という効果を奏する。
【００３８】
また、天井面に着脱可能な洗濯物吊り下げ手段を、日射が入る開口部の近傍に複数配置するという構成にしてもよい。これにより、乾燥が必要な洗濯物の量と日射の状況に応じて洗濯物を吊り下げる手段を配置して効率的に乾燥ができるという効果を奏する。
【００３９】
また、送風手段に複数の送風ファンを備えるという構成にしてもよい。これにより、洗濯物を干す洗濯物吊り下げ手段の幅や数に対応して複数の送風ファンを作動または停止させることにより必要な面だけ効率的に省エネルギーで洗濯物に送風気流をあてることができるという効果を奏する。
【００４０】
また、送風手段と排気手段が一体であり、共通の吸気口と循環気流と排気を切り替えるダンパーを備えるという構成にしてもよい。これにより、循環気流による送風で湿気を飛ばし、室内空間の湿気が増加するとダンパーを切り替え、湿気を排気する運転により、コンパクトで省エネルギーに洗濯物の乾燥を行うことができるという効果を奏する。
【００４１】
また、吸気口に湿度検知手段を備えるという構成にしてもよい。これにより、循環気流の空気湿度が高くなると排気側にダンパーを切り替えて効率的に循環気流と排気を切り替えることにより乾燥時間を早くすることができるという効果を奏する。
【００４２】
以下、本発明の実施の形態について図面を参照しながら説明する。
【００４３】
（実施の形態１）
図１は、本発明の実施の形態１における洗濯物の室内乾燥システムの構成を示す平面図であり、図２は、本発明の実施の形態１における洗濯物の室内乾燥システムの構成を示すＸ―Ｘ´断面図であり、図３は、本発明の実施の形態１における洗濯物の室内乾燥システムの構成を示すＹ−Ｙ´断面図である。
【００４４】
図１および図２に示すように、室内空間１の壁面２には日射が入る開口部３が設置されている。そして、室内空間１の天井４には、室内空間１の空気を循環させる送風手段である送風ユニット５が備えられている。送風ユニット５は吸込口６とクロスフローファン７と吹出口８とが連通する構成となっており、吸込口６から室内空間１の空気を吸込み、クロスフローファン７で加圧送風され、吹出口８から室内空間１へ気流が吹出される。また、吸込口６には室内空間１から空気と共に流入する埃を除去するためのフィルター９が備えられている。
【００４５】
図３に示すように、洗濯物吊り下げ手段である物干し竿１３は、開口部３の近傍空間に配置されている。
【００４６】
この近傍空間とは、物干し竿１３はその竿方向の軸線Ａが水平となるように、壁１８を橋渡しする形で固定されており、物干し竿１３が固定されている位置としては、高さ方向では一般的な大人であれば容易に洗濯物の吊り干し作業を実施できる高さである。
【００４７】
一方、水平方向では、図１と図２に示すように、物干し竿１３はその軸方向が開口部３と略平行となるように配置されている。そして、開口部３と物干し竿１３との水平距離は、一般的な衣類がハンガー１４に干された状態でも洗濯物１２が開口部３に接触することのない距離であり、例えば開口部３を基準として４００ｍｍ程度である。
【００４８】
このような構成によれば、天気の悪い日でも送風により洗濯物の湿気を飛ばし、その湿気を排気することにより洗濯物の乾燥を行うことが出来る。
【００４９】
また、天気の良い日には、洗濯物を日射に当たることによる殺菌効果を期待できる。
【００５０】
また、開口部３は排出手段として任意に開閉が可能であり、開口部３を開放することにより室内空間１で洗濯物１２から発生する水蒸気の排出を行なうことができる。
【００５１】
また、天気が良い日に日射に当てながら、洗濯物が開口部に触れることがなくなるので、衛生的に洗濯物を干すことができ、洗濯物の多くの面を日射に当てることができる。
【００５２】
また、室内空間１の天井４には送風ユニット５が備えられているが、洗濯物１２の上方に吹出口８が位置するように送風ユニット５が配置されている。そして送風ユニット５に備えられたクロスフローファン７を運転させることで、床面１９の上面に気流が到達し、洗濯干しの作業時に床に落ちた水を乾燥させることとなる。
【００５３】
なお、洗濯物１２を物干し竿１３に吊るさずに送風ユニット５に備えられたクロスフローファン７を運転させることで、床面１９の上面により多くの気流が到達し、床面１９に置いたたらいなどの洗濯用具を乾燥させることも可能となる。
【００５４】
図１に示すように、送風ユニット５に備えられている吹出口８の開口形状はスリット形状であり、吹出口８のスリット形状に対する長手方向が開口部３と略平行となるように配置されている。従って、開口部３に対して、物干し竿１３の軸方向Ａと吹出口８のスリット形状に対する長手方向とのどちらも略平行に位置しており、吹出口８から吹出される気流が物干し竿１３の軸方向に対して均等に当たる構成となっている。
【００５５】
このような構成によれば、物干し竿に干された複数の洗濯物に対して満遍なく送風気流が当たることとなるので洗濯物に乾きムラがなくなる。
【００５６】
なお、実施の形態１では、排気手段に窓を用い、窓を開放することで室内の水蒸気を屋外へ排出したが、窓にかえて室内空間１に備えられた換気扇を用い、換気扇を運転することで室内の水蒸気を屋外へ排出してもよく、その作用効果に差異を生じない。
【００５７】
なお、洗濯物吊り下げ手段を物干し竿としたが、吊り下げハンガーや物干しスタンドなど、洗濯物を同様な位置に配置できるものであればよい。
【００５８】
（実施の形態２）
図４において、実施の形態１と同様の構成要素については同一の符号を付し、その詳細な説明は省略する。
【００５９】
図４は、本発明の実施の形態２における洗濯物の室内乾燥システムの構成を示す断面図を示し、図４の開口部３の近傍空間には洗濯物１２ａを吊り干すための物干し竿１３ａが備えられているとともに、物干し竿１３ａと略平行に、洗濯物１２ａと洗濯物１２ｂが接しない程度に近接して、洗濯物１２ｂを吊り干すための物干し竿１３ｂが備えられている。洗濯物１２ａと洗濯物１２ｂは、洗濯物を物干し竿につるす時に風を当てるためにある程度間隔を開けて吊るす。又、比較的丈の短い洗濯物を物干し竿１３ａに干し、比較的丈の長い洗濯物は、物干し竿１３ｂに干す。
【００６０】
このような構成によれば、物干し竿１３ｂには図４で示したような、下半身に身に着けるズボンやパンツといった比較的丈の長い洗濯物１２ｂを干しても、適度に日射が当たり、大量の洗濯物を干すことができる。
【００６１】
また、図４において、室内空間１の天井４には送風ユニット５が備えられている。そして、送風ユニット５の吹出口８には、室内空間１に対し吹出口８から出される気流方向を変化させる風向偏向手段としての風向ルーバー２２が備えられている。風向ルーバー２２は吹出口８のスリット形状に対する長手方向と平行なる軸を中心に、一定範囲の角度幅（例えば３０°〜６０°）を一定時間間隔（例えば、５秒から１０秒程度の周期）で往復動作を行なう。また図示していないが、風向ルーバー２２の駆動手段としてはステッピングモータなどが用いられる。
【００６２】
上記構成において、送風ユニット５の吹出口８から吹出される気流は、広角な範囲に対してその風向を変化させることができ、平面視で物干し竿１３ａと物干し竿１３ｂとの中央位置に送風ユニット５を配置することにより、物干し竿１３ａと物干し竿１３ｂに吊り干されたいずれの洗濯物１２ａ、１２ｂに均等に気流が当たることとなり、洗濯物１２ａ、１２ｂのいずれに対しても乾燥を促進することが可能となる。
【００６３】
このような構成によれば、吹出口８に気流方向を変化させる風向偏向手段としての風向ルーバー２２を備えることにより、物干し竿１３ａ、１３ｂを平行に二本並べた場合でも洗濯物１２ａ、１２ｂに均等に送風気流が当たることとなり、大量の洗濯物を干しても、洗濯物の乾きムラを少なくできる。
【００６４】
また、図４において、送風ユニット５に、光センサー２３が備えられている。光センサー２３は、天気が良い日に開口部３より日射が入っていることを検知する。これにより、天気が良いことによる日射による洗濯物の乾燥促進を予測し、送風ユニット５の運転を抑制制御することで省エネルギー化を図ることができる。
【００６５】
また、図４において、送風ユニット５に、風速センサー２４が備えられて入る。風速センサー２４は、天気が良い日に換気のために開口部３が開いており屋外から風が入っていることを検知する。これにより、屋外から風が入って洗濯物に風があったって入ることを検知し、送風ユニット５の運転を抑制制御することで省エネルギー化を図ることができる。
【００６６】
なお、風速センサー２４は、開口部３以外の屋内の扇風機やエアコンの風が洗濯物に当たっている場合も検知し、送風ユニット５の運転を抑制制御することで省エネルギー化を図ることができる。
【００６７】
（実施の形態３）
図５において、実施の形態１と同様の構成要素については同一の符号を付し、その詳細な説明は省略する。
【００６８】
図５は、本発明の実施の形態３における洗濯物の室内乾燥システムの構成を示す断面図を示し、天井４には湿度センサー２６を備えた、熱交換型換気扇２５が備えられている。この熱交換型換気扇２５には、外気と連通した給気ダクト２７と排気ダクト２８を備え、熱交換型換気扇２５には、室内からの排気と屋外からの給気の熱を交換する熱交換素子２９を備えている。
【００６９】
このような構成によれば、洗濯物から発生した湿気の量を湿度センサー２６により検知できるので、湿気を確実に排気できる。
【００７０】
また、排気に伴う給気において、冬の寒い外気を給気する時に、熱交換素子２９による給気と排気の熱交換により、寒い外気が給気により室内に入ってくることを防ぐことで、冬でも室内での衣類乾燥を行うことができる。
【００７１】
（実施の形態４）
図６において、実施の形態１と同様の構成要素については同一の符号を付し、その詳細な説明は省略する。
【００７２】
図６は、本発明の実施の形態４における洗濯物の室内乾燥システムの構成を示す断面図である。
【００７３】
図６に示すように、室内空間１は、居室３１の隣に配置され、室内空間１と居室３１との間は連通かつ開閉可能なドア３２で仕切られている。ドア３２は排気手段としてのドア通風口３３を有し、室内空間１と居室３１との間が連通されている。
【００７４】
また、居室３１の天井４には換気扇３６が備えられ、換気扇３６を運転させることにより居室３１の空気が屋外へ排出されるに伴って、排気手段としてのドア通風口３３を介して室内空間１の空気が居室３１へ移動する。従って、室内空間１の空気がドア通風口３３と居室３１を介して屋外へ排出されることとなり、洗濯物１２から発生する水蒸気を適切に排出することができる。
【００７５】
このような構成によれば、居室３１に換気扇３６を備え、ドア３２に排気手段としてのドア通風口３３を備えることにより、排気手段を室内空間１に備える必要がなくなるので、イニシャルコストを削減することができる。
【００７６】
また、送風手段としてのクロスフローファン７の運転に連動して電源を出力する連動端子（図示せず）が送風ユニット５に備えられ、連動端子と換気扇３６とが結線されており、クロスフローファン７の動作に連動して換気扇３６が運転を開始する構成となっており、換気扇３６の運転操作を新たに実施する必要がないので、作業者の操作内容を軽減することができる。
【００７７】
（実施の形態５）
図８において、実施の形態１と同様の構成要素については同一の符号を付し、その詳細な説明は省略する。
【００７８】
図８は、本発明の実施の形態５における洗濯物の乾燥システムの断面を示す構成図である。
【００７９】
図８に示すように、開口部３の近傍空間には開口部３と略並行になるように洗濯物１２ａを吊り干すための物干し竿１３ａが備えられているとともに、物干し竿１３ａと略平行で物干し竿１３ａの下側に、洗濯物１２ａと接しない程度に近接して、洗濯物１２ｂを吊り干すための物干し竿１３ｂが備えられている。
【００８０】
また、図８において、室内空間１の壁面１７には送風ユニット５が備えられている。そして、送風ユニット５の吹出口８には、室内空間１に対し吹出口８から出される気流方向を変化させる風向ルーバー２２が備えられている。風向ルーバー２２は吹出口８のスリット形状に対する長手方向と平行なる軸を中心に、一定範囲の角度幅（例えば３０°〜６０°）を一定時間間隔（例えば、５秒から１０秒程度の周期）で往復動作を行なう。また図示していないが、風向ルーバー２２の駆動手段としてはステッピングモータなどが用いられる。
【００８１】
前記構成において、送風ユニット５の吹出口８から吹出される気流は、広角な範囲に対してその風向を変化させることができ、垂直視で物干し竿１３ａと物干し竿１３ｂとの中央位置に送風ユニット５を配置することにより、物干し竿１３ａと物干し竿１３ｂに吊り干されたいずれの洗濯物１２ａ、１２ｂに均等に気流が当たることとなり、洗濯物１２ａ、１２ｂのいずれに対しても乾燥を促進することが可能となる。
【００８２】
このような構成によれば、吹出口８に気流方向を変化させる風向ルーバー２２を備えることにより、物干し竿１３ａ、１３ｂを上下二段に二本並べた場合でも洗濯物１２ａ、１２ｂに均等に送風気流が当たることとなり、大量の洗濯物を干しても、洗濯物の乾きムラを少なくできる。
【００８３】
（実施の形態６）
図９において、実施の形態１と同様の構成要素については同一の符号を付し、その詳細な説明は省略する。
【００８４】
図９は、本発明の実施の形態９における洗濯物の乾燥システムの断面を示す構成図である。
【００８５】
図９に示すように、室内空間１にあり、開口部３の近傍の室内側に横型に複数枚連結したブラインド形状の横型反射板４１を備え、横型反射板４１の近傍空間に洗濯物１２を乾燥させるための洗濯物支持手段である物干し竿１３が備えられ、物干し１３にはハンガー１４に干された洗濯物１２が備えられ、洗濯物１２の下の床面１９には開口部３から入る日射４３を上面に反射する床置き反射板４２を備られている。
【００８６】
また、送風ユニット５は、洗濯物１２の開口部３から入る日射４３の陰になる開口部３とは反対側の洗濯物１２の側面を送風できるように備えた構成になっている。
【００８７】
このような構成によれば、開口部３から室内に入る日射４３の一部を横型反射板４１で反射して、日射４３が当たらない洗濯物１２の特に上方部分に日射４３をあてることにより乾きにくい袖部など衣類の上部に日射を当てることができ、洗濯物の乾燥を促進させることが可能となる。
【００８８】
また、開口部３から室内に入る日射４３の一部を床置き反射板４２で反射して、日射４３が当たらない洗濯物１２に日射４３をあてることにより乾きにくい衣類の下面に日射を当てることができ、洗濯物の乾燥を促進させることが可能となる。
【００８９】
また、開口部３から入る日射が当たらない洗濯物１２の室内側の側面を送風ユニット５で乾燥を促進させることが可能となる。
【００９０】
なお、日射４３は季節による太陽の高さによって異なり、太陽が低くなり洗濯物１２に日射４３が直接当たる場合は、ブラインド形状の横型反射板４１を上部に収納しても良い。
【００９１】
なお、太陽の高さが高くなり下半分だけ洗濯物１２に日射４３が当たる場合は、横型反射板４１を開口部３の上方に設置して、上方の日射４３を反射し洗濯物１２に日射が当たらない部分へ反射させることが好ましい。
【００９２】
なお、床置き反射板４２は、季節ごとに太陽の高さに合わせて反射角の違う反射板を入れ替えることもできるが、例えばプリズムカットされた広角に日射を反射させる反射板により太陽の高さに関係なく日射を広角反射させることにより、常時床に設置することも可能である。
【００９３】
（実施の形態７）
図１０において、実施の形態１と同様の構成要素については同一の符号を付し、その詳細な説明は省略する。
【００９４】
図１０は、本発明の実施の形態９における洗濯物の乾燥システムの平面を示す構成図である。
【００９５】
図１０に示すように、室内空間１にあり、開口部３の近傍の室内側に縦型に複数枚連結したブラインド形状の縦型反射板４４を備え、縦型反射板４４の近傍空間に洗濯物１２を乾燥させるための洗濯物支持手段である物干し竿１３が備えられ、開口部３が設置され、開口部３の近傍空間に洗濯物吊り下げ手段である物干し竿１３が備えられ、物干し１３にはハンガー１４に干された洗濯物１２が備えられている。
【００９６】
また、送風ユニット５は、洗濯物１２の開口部３から入る日射４３の陰になる開口部３とは反対側の洗濯物１２の側面を送風できるように備えた構成になっている。
【００９７】
このような構成によれば、開口部３から室内に入る日射４３を縦型反射板４４で反射して、日射４３が当たらない洗濯物１２の裏面に日射４３をあてることにより乾きにくい衣類の裏面に日射を当てることができ、洗濯物の乾燥を促進させることが可能となる。
【００９８】
また、開口部３から入る日射が当たらない洗濯物１２の室内側の側面を送風ユニット５で乾燥を促進させることが可能となる。
【００９９】
なお、日射４３は、開口部３の方角により室内空間１への入り方が異なるが開口部３を東向きもしくは西向きに設置したが状況にあって、日射４３が平面から見て斜めに射している場合に、特に効果がある。
【０１００】
また、開口部３を南向きに設置した場合、朝早くから洗濯物１２を干す場合や、夕方近くなって洗濯物１２を干す場合のように、日射４３が平面から見て斜めに射している場合にも効果がある。
【０１０１】
（実施の形態８）
図１１において、実施の形態１と同様の構成要素については同一の符号を付し、その詳細な説明は省略する。
【０１０２】
図１１は、本発明の実施の形態８における洗濯物の乾燥システムの断面を示す構成図である。
【０１０３】
図１１に示すように、室内空間１には、開口部３の近傍空間に洗濯物１２を乾燥させるための洗濯物支持手段であり高さを任意に変更可能な物干し竿１３を支える可動式物干し５１が備えられ、天井４には室内空間１の空気を排気する排気手段としての換気扇３６と、洗濯物を送風乾燥させる送風手段である送風ユニット５が備えられている。そして、可動式物干し５１には日射の高さを検知する日射センサー５２が備えられている。
【０１０４】
このような構成によれば、開口部３から室内に入る日射４３の高さに対応して可動式物干し５１の高さを変更して、洗濯物１２に効率よく日射４３をあてることができ、乾燥を促進させることが可能となる。
【０１０５】
また、日射センサー５２により、洗濯物にあたる日射４３の高さに対応して自動で可動式物干し５１の高さを変更することができる。
【０１０６】
なお、可動式物干し５１の上下可動方法は、ワイヤーによって吊るされた物干し竿を、ワイヤーを巻き上げたり下げたりするワイヤー方式や、パイプの伸縮により可動させる伸縮パイプ方式等、可動手段はどの手段でもよいが、ワイヤー方式が手動でも、自動でもできる方式として一般的である。
【０１０７】
（実施の形態９）
図１２において、実施の形態１と同様の構成要素については同一の符号を付し、その詳細な説明は省略する。
【０１０８】
図１２は、本発明の実施の形態９における洗濯物の乾燥システムの断面を示す構成図である。
【０１０９】
図１２に示すように、室内空間１には、開口部３の近傍空間に洗濯物１２を乾燥させるための洗濯物支持手段である物干し竿１３が備えられ、天井４には室内空間１の空気を排気する排気手段としての換気扇３６と、洗濯物を送風乾燥させる送風手段である送風ユニット５が備えられている。そして、室内空間１は、室内空間１と隣接して設置された隣接室６１と下方に通風口６３を設けた扉６２により区切られた構成となっている。
【０１１０】
このような構成によれば、扉６２の下方の通風口６３からの風の流れで、乾きにくい衣類の下部が乾きやすくなる。
【０１１１】
また、人が出入する一定の空間と隣接室６１が扉６２で仕切られているので乾燥室中に見栄えが良い。
【０１１２】
また、洗濯物の乾燥後に次の洗濯物の乾燥までに衣類を保管しておいても見栄え良く保管することができる。
【０１１３】
なお、天井１１に排気手段としての換気扇３６を備えたが、室内空間１の空間内にあって吊り下げた洗濯物の上下方向の中心より概ね上方であれば、壁に換気扇３６を備えても良い。
【０１１４】
なお、扉６２に設けた通風口６３の形状は、物干し竿１３に干した多くの洗濯物１２に当たり易いようにスリット形状であることが望ましい。
【０１１５】
（実施の形態１０）
図１３において、実施の形態１と同様の構成要素については同一の符号を付し、その詳細な説明は省略する。
【０１１６】
図１３は、本発明の実施の形態１０における衣類の乾燥システムの断面を示す構成図である。
【０１１７】
図１３に示すように、室内空間１には、開口部３の近傍空間に洗濯物１２を乾燥させるための洗濯物支持手段である物干し竿１３が備えられ、天井４には室内空間１の空気を排気する排気手段としての換気扇３６と、洗濯物を送風乾燥させる送風手段である送風ユニット５が備えられている。送風ユニット５と連通して洗濯物１２の側面から送風乾燥させる数個の送風ガラリ７２を備えた送風扉７１により区切られた構成となっている。
【０１１８】
このような構成によれば、送風扉７１に備えた数個の送風ガラリ７２からの、側面の広範囲の送風により、洗濯物１２が乾きやすくなる。
【０１１９】
また、人が出入する一定の空間と隣接室６１が送風扉７１で仕切られているので乾燥室中に洗濯物１２を干しても見栄えが良い。
【０１２０】
また、洗濯物の乾燥後に次の洗濯物乾燥までに洗濯物１２を保管しておいても見栄え良く保管することができる。
【０１２１】
なお、天井１１に排気手段としての換気扇３６を備えたが、室内空間１の空間内にあって吊り下げた洗濯物１２を中心として反対方向であれば、壁に換気扇３６を備えても良い。
【０１２２】
なお、送風扉７１に備えた送風ガラリ７２の形状は、物干し竿１３に干した多くの洗濯物１２に当たり易いように広範囲に設けることが望ましい。
【０１２３】
尚、送風扉７１は、洗濯物の側面の送風できる程度の高さでよいが、更に見栄えよくするために天井から土間までを仕切る扉でも良い。
【０１２４】
尚、送風扉７１は、洗濯物１２を物干し竿１３に干すために開閉できるものとし、閉状態で送風ユニット５と連通して送風口から送風ができれば、上下開閉方式や左右スライド方式等どのような開閉方法を採用しても良い。
【０１２５】
（実施の形態１１）
図１４において、実施の形態１と同様の構成要素については同一の符号を付し、その詳細な説明は省略する。
【０１２６】
図１４は、本発明の実施の形態１１における衣類の乾燥システムの断面を示す構成図である。
【０１２７】
図１４に示すように、室内空間１には、開口部３の近傍空間に洗濯物１２ａを乾燥させるための洗濯物支持手段であり着脱可能な物干し竿１３ａを支える着脱式物干し８１ａが備えられているとともに、物干し竿１３ａと竿方向の軸線Ｂ上の開口部３の近傍空間に洗濯物１２ｂを乾燥させるための洗濯物支持手段であり着脱可能な物干し竿１３ｂを支える着脱式物干し８１ｂが備えられている。
【０１２８】
そして、天井４には室内空間１の洗濯物を送風乾燥させる送風手段である送風ユニット５が備えられ、送風ユニット５の片側には洗濯物１２ａに気流をあてるための送風ファン８２ａと吹出ルーバー８３ａを備え、もう一方には洗濯物１２ｂに気流をあてるための送風ファン８２ｂと吹出ルーバー８３ｂが備えられている。
【０１２９】
このような構成によれば、洗濯物１２ａと洗濯物１２ｂの大量の洗濯物を乾燥させる場合は、送風ファン８２ａと送風ファン８２ｂを運転させそれぞれ、吹出ルーバー８３ａと吹出ルーバー８３ｂより洗濯物に気流をあてて大量の洗濯物を乾燥することができる。
【０１３０】
また、洗濯物が少量の時、例えば洗濯物１２ａだけを乾燥させたい時は送風ファン８２ａのみ運転させ吹出ルーバー８３ａより洗濯物に気流をあてて、送風ファン８２ｂは停止させることにより、効率的に省エネルギーで洗濯物に送風気流をあてることができる。
【０１３１】
また、洗濯物が少量の時は、片方の着脱式物干し、例えば着脱式物干し８１ａと物干し竿１３ａのみ取り付け、着脱式物干し８１ｂと物干し竿１３ｂを取り付けないこともできる。これにより、開口部３から入る日射で洗濯物の乾燥以外にも使える。例えば、床に置いた湿った靴を乾かす等である。
【０１３２】
なお、送風ファンは、衣類に気流を当てることができおる送風能力があればクロスフローファンでもシロッコファンでもプロペラファンでも良い。
【０１３３】
なお、送風ファンの数は、洗濯物を干す量が多ければ２個より多く増やすこともできる。
【０１３４】
（実施の形態１２）
図１５において、実施の形態１と同様の構成要素については同一の符号を付し、その詳細な説明は省略する。
【０１３５】
図１５は、本発明の実施の形態１２における衣類の乾燥システムの断面を示す構成図である。
【０１３６】
図１５に示すように、室内空間１の日射が入る開口部３の近傍に洗濯物吊り下げ手段である物干し竿１３が設置されている。そして、室内空間１の天井４には、室内空間１の空気を循環させる送風手段と衣類乾燥により湿度が上がった空気を排出する排気手段備えた、送風排気ユニット９１が備えられている。
【０１３７】
送風排気ユニット９１は、湿度センサー２６を備えた吸込口６と送風循環ファン９２とダンパー９３と送風口９４と排気口９５が連通する構成となっている。又、排気口９５は、ダクト９６と連通している。ダンパー９３は、吸込口６から送風循環ファン９２により吸い込まれた空気を、送風口９４もしくは排気口９５へ送り出すための風路を切り替えるものである。
【０１３８】
ダンパー９３が排気口９５への風路を閉じている時は、吸込口６から室内空間１の空気が送風循環ファン９２で吸込まれ、送風口９４から室内空間１へ気流が吹出される。また、ダンパー９３が送風口９４への風路を閉じている時は、排気口９５からダクト９６から屋外へ排気される。
【０１３９】
また、ダンパー９３は、湿度センサーにより、吸込口６から吸い込まれる空気の湿度が高くない時、例えば６０％以下であれば排気口９５への風路を閉じて室内空間１へ気流を吹出し、湿度が上がれば排気口９５への風路を断続的に開閉し、屋外へ湿気を排気しながら室内空間１へ気流を吹出す。
【０１４０】
このような構成によれば排気手段と循環手段が一体化するのでコンパクトになり設置する場所の省スペースを図れる。
【０１４１】
また、排気手段の送風機能と循環手段の送風機能を共有できるので、イニシャルコストを低く、また、省エネルギーで洗濯物の乾燥を行うことができる。
【０１４２】
なお、送風循環ファン９２は、衣類に気流を当てることができおる送風能力があればクロスフローファンでもシロッコファンでもプロペラファンでも良い。
【産業上の利用可能性】
【０１４３】
本発明にかかる洗濯物の室内乾燥方法と洗濯物の室内乾燥システムは、入浴時間等の生活行為に関係なく洗濯物の乾燥ができ、天候の良い日には洗濯物の乾燥時に日射による殺菌効果を期待できる乾燥方法と洗濯物の乾燥システムを提供することを可能とするものであるので、住宅のリビングや寝室、子ども部屋などの居室や、洗濯物の乾燥専用室に使用される乾燥システム等として有用である。
【符号の説明】
【０１４４】
１    室内空間
３    開口部
５    送風ユニット
７    クロスフローファン
８    吹出口
１２、１２ａ、１２ｂ  洗濯物
１３、１３ａ、１３ｂ  物干し竿
２２  風向ルーバー
２３  光センサー
２４  風速センサー
２５  熱交換型換気扇
２６  湿度センサー
２７  給気ダクト
２８  排気ダクト
２９  熱交換素子
３１  居室
３２  ドア
３３  ドア通風口
３６  換気扇
４１  横型反射板
４２  床置き反射板
４３  日射
４４  縦型反射板
５１  可動式物干し
５２  日射センサー
６１  隣接室
６２  扉
６３  通風口
７１  送風扉
７２  送風ガラリ
８１ａ、８１ｂ  着脱式物干し
８２ａ、８２ｂ  送風ファン
８３ａ、８３ｂ  吹出ルーバー
９１  送風排気ユニット
９２  送風循環ファン
９３  ダンパー
９４  送風口
９５  排気口
９６  ダクト
【図１】
2011101787.tif 000003
【図２】
2011101787.tif 000004
【図３】
2011101787.tif 000005
【図４】
2011101787.tif 000006
【図５】
2011101787.tif 000007
【図６】
2011101787.tif 000008
【図７】
2011101787.tif 000009
【図８】
2011101787.tif 000010
【図９】
2011101787.tif 000011
【図１０】
2011101787.tif 000012
【図１１】
2011101787.tif 000013
【図１２】
2011101787.tif 000014
【図１３】
2011101787.tif 000015
【図１４】
2011101787.tif 000016
【図１５】
2011101787.tif 000017